(57)【要約】      （修正有）【課題】受付スペースの無機質な雰囲気を解消して訪問者に好印象を与え得る受付案内装置を提供する。【解決手段】等身大の人物像２５が表示可能な表示領域２１を有する表示手段２０と、表示領域２１に設けられたタッチパネル式の操作手段３０と、受付案内の動作を行う人物の動画情報と社内部署または社員名簿を含む社内情報とを記憶する記憶手段と、社内部署または社員と通信可能な通信手段と、操作手段３０による操作に応じて受付案内を実行する制御手段とを備える。さらに、表示手段２０の表示領域２１に記憶手段に記憶された動画情報の人物２５を等身大で表示し、訪問者が表示領域２１に触れたことを契機として動画情報を再生するとともに、表示領域２１の所定位置に社内情報を操作手段３０により選択操作可能に表示し、訪問者が表示された社内情報から任意の訪問先を選択した際に、電話器等の通信手段を介して該当訪問先を呼び出す。【選択図】図５
0003168253.tif 000002
【実用新案登録請求の範囲】
【請求項１】
受付スペースに設置され、訪問者に対して受付案内を行う受付案内装置であって、
等身大の人物像が表示可能な表示領域を有する表示手段と、
前記表示領域に設けられたタッチパネル式の操作手段と、
受付案内の動作を行う人物の動画情報と社内部署または社員名簿を含む社内情報とを記憶する記憶手段と、
社内部署または社員と通信可能な通信手段と、
前記操作手段による操作に応じて受付案内を実行する制御手段とを備え、
前記表示手段の前記表示領域に前記記憶手段に記憶された前記動画情報の人物を等身大で表示し、訪問者が前記表示領域に触れたことを契機として前記動画情報を再生するとともに、前記表示領域の所定位置に前記社内情報を前記操作手段により選択操作可能に表示し、
前記訪問者が前記表示された前記社内情報から任意の訪問先を選択した際に、前記通信手段を介して該当訪問先を呼び出すことを特徴とする受付案内装置。
【請求項２】
前記動画情報が挨拶動画と案内動画とを含み、前記挨拶動画の再生後に前記案内動画を再生するとともに前記社内情報を表示する請求項１に記載の受付案内装置。
【請求項３】
前記受付スペースに接近した訪問者を感知する人感センサーを備えるとともに、前記記憶手段に広告情報が記憶され、通常時には前記表示手段の前記表示領域に前記広告情報を表示し、前記人感センサーが訪問者を感知した際に、前記表示領域に前記動画情報の人物を等身大で表示する請求項１又は２に記載の受付案内装置。
【請求項４】
前記社内情報から部署名または社員名を検索する検索手段を備え、該検索手段の検索結果に基づいて前記通信手段を介して該当訪問先を呼び出す請求項１ないし３のいずれか１項に記載の受付案内装置。
【請求項５】
前記動画情報が複数種類の言語に対応して構成され、前記複数種類の言語からいずれか１つの言語を選択して再生可能とする言語選択手段を備えた請求項１ないし４のいずれか１項に記載の受付案内装置。
【請求項６】
前記受付スペースを撮像する撮像手段を備え、該撮像手段によって撮像された撮像情報を前記記憶手段に記憶する請求項１ないし５のいずれか１項に記載の受付案内装置。
【請求項７】
前記通信手段が内線電話である請求項１ないし６のいずれか１項に記載の受付案内装置。
【請求項８】
前記記憶手段が外部記憶媒体である請求項１ないし７のいずれか１項に記載の受付案内装置。
【請求項９】
訪問者がメッセージ入力可能な入力手段と、前記入力手段によって入力されたメッセージを前記社内情報から任意の社内部署または社員名を選択して送信可能なメッセージ送信手段とを備える請求項１ないし８のいずれか１項に記載の受付案内装置。
【請求項１０】
前記入力手段によって入力されたメッセージを出力する出力手段を備える請求項９に記載の受付案内装置。
【考案の詳細な説明】
【技術分野】
【０００１】
本考案は、会社等の受付スペースに設置される無人の受付案内装置に関する。
【背景技術】
【０００２】
近年、会社等の受付スペースには、人件費削減等の理由から社員を配置せずに訪問者に対して無人で受付案内を行う受付案内装置が設置されている。このような受付案内装置は、訪問者がタッチパネルディスプレイ等の表示手段に表示された案内情報や音声等に従って操作することにより、内線電話等の通信手段を介して目的の社内部署または社員を呼び出すように構成される（例えば、特許文献１参照。）。
【０００３】
ところで、受付スペースは会社等の玄関口であり、訪問者に対して会社等の雰囲気を最初に印象づける空間でもある。しかしながら、従来の受付案内装置では、タッチパネルディスプレイの表示領域が小さく、該表示領域に部署名や社員名等の文字情報を表示するに留まるものであり、しかも、設置場所が人気がない空間であるため、受付スペースが無機質な雰囲気となり、訪問者に与える印象は芳しいものではなかった。
【先行技術文献】
【特許文献】
【０００４】
【特許文献１】特開２００４−２４０５８７号公報
【考案の概要】
【考案が解決しようとする課題】
【０００５】
本考案は前記の点に鑑みなされたものであり、受付スペースの無機質な雰囲気を解消して訪問者に好印象を与え得る受付案内装置を提供するものである。
【課題を解決するための手段】
【０００６】
すなわち、請求項１の考案は、受付スペースに設置され、訪問者に対して受付案内を行う受付案内装置であって、等身大の人物像が表示可能な表示領域を有する表示手段と、前記表示領域に設けられたタッチパネル式の操作手段と、受付案内の動作を行う人物の動画情報と社内部署または社員名簿を含む社内情報とを記憶する記憶手段と、社内部署または社員と通信可能な通信手段と、前記操作手段による操作に応じて受付案内を実行する制御手段とを備え、前記表示手段の前記表示領域に前記記憶手段に記憶された前記動画情報の人物を等身大で表示し、訪問者が前記表示領域に触れたことを契機として前記動画情報を再生するとともに、前記表示領域の所定位置に前記社内情報を前記操作手段により選択操作可能に表示し、前記訪問者が前記表示された前記社内情報から任意の訪問先を選択した際に、前記通信手段を介して該当訪問先を呼び出すことを特徴とする受付案内装置に係る。
【０００７】
請求項２の考案は、前記動画情報が挨拶動画と案内動画とを含み、前記挨拶動画の再生後に前記案内動画を再生するとともに前記社内情報を表示する請求項１に記載の受付案内装置に係る。
【０００８】
請求項３の考案は、前記受付スペースに接近した訪問者を感知する人感センサーを備えるとともに、前記記憶手段に広告情報が記憶され、通常時には前記表示手段の前記表示領域に前記広告情報を表示し、前記人感センサーが訪問者を感知した際に、前記表示領域に前記動画情報の人物を等身大で表示する請求項１又は２に記載の受付案内装置に係る。
【０００９】
請求項４の考案は、前記社内情報から部署名または社員名を検索する検索手段を備え、該検索手段の検索結果に基づいて前記通信手段を介して該当訪問先を呼び出す請求項１ないし３のいずれか１項に記載の受付案内装置に係る。
【００１０】
請求項５の考案は、前記動画情報が複数種類の言語に対応して構成され、前記複数種類の言語からいずれか１つの言語を選択して再生可能とする言語選択手段を備えた請求項１ないし４のいずれか１項に記載の受付案内装置に係る。
【００１１】
請求項６の考案は、前記受付スペースを撮像する撮像手段を備え、該撮像手段によって撮像された撮像情報を前記記憶手段に記憶する請求項１ないし５のいずれか１項に記載の受付案内装置に係る。
【００１２】
請求項７の考案は、前記通信手段が内線電話である請求項１ないし６のいずれか１項に記載の受付案内装置に係る。
【００１３】
請求項８の考案は、前記記憶手段が外部記憶媒体である請求項１ないし７のいずれか１項に記載の受付案内装置に係る。
【００１４】
請求項９の考案は、訪問者がメッセージ入力可能な入力手段と、前記入力手段によって入力されたメッセージを前記社内情報から任意の社内部署または社員名を選択して送信可能なメッセージ送信手段とを備える請求項１ないし８のいずれか１項に記載の受付案内装置に係る。
【００１５】
請求項１０の考案は、前記入力手段によって入力されたメッセージを出力する出力手段を備える請求項９に記載の受付案内装置に係る。
【考案の効果】
【００１６】
請求項１の考案に係る受付案内装置は、受付スペースに設置され、訪問者に対して受付案内を行う受付案内装置であって、等身大の人物像が表示可能な表示領域を有する表示手段と、前記表示領域に設けられたタッチパネル式の操作手段と、受付案内の動作を行う人物の動画情報と社内部署または社員名簿を含む社内情報とを記憶する記憶手段と、社内部署または社員と通信可能な通信手段と、前記操作手段による操作に応じて受付案内を実行する制御手段とを備え、前記表示手段の前記表示領域に前記記憶手段に記憶された前記動画情報の人物を等身大で表示し、訪問者が前記表示領域に触れたことを契機として前記動画情報を再生するとともに、前記表示領域の所定位置に前記社内情報を前記操作手段により選択操作可能に表示し、前記訪問者が前記表示された前記社内情報から任意の訪問先を選択した際に、前記通信手段を介して該当訪問先を呼び出すため、無人でありながら、受付スペースの無機質な雰囲気を解消し、訪問者に対して好印象を与えて受付案内を行うことができる。
【００１７】
請求項２の考案は、請求項１において、前記動画情報が挨拶動画と案内動画とを含み、前記挨拶動画の再生後に前記案内動画を再生するとともに前記社内情報を表示するため、より実際の対人による受付案内に近い雰囲気等を作り出すことができ、訪問者に対してより好印象を与えることができる。
【００１８】
請求項３の考案は、請求項１又は２において、前記受付スペースに接近した訪問者を感知する人感センサーを備えるとともに、前記記憶手段に広告情報が記憶され、通常時には前記表示手段の前記表示領域に前記広告情報を表示し、前記人感センサーが訪問者を感知した際に、前記表示領域に前記動画情報の人物を等身大で表示するため、訪問者がいないまたは離れた場所にいる際には宣伝等を行うことができ、訪問者が受付スペースに近づいたことに対応して即座に受付案内を開始することができる。
【００１９】
請求項４の考案は、請求項１ないし３において、前記社内情報から部署名または社員名を検索する検索手段を備え、該検索手段の検索結果に基づいて前記通信手段を介して該当訪問先を呼び出すため、訪問先を容易に指定することができ、受付案内の操作を効率的に行うことができる。
【００２０】
請求項５の考案は、請求項１ないし４において、前記動画情報が複数種類の言語に対応して構成され、前記複数種類の言語からいずれか１つの言語を選択して再生可能とする言語選択手段を備えたため、訪問者の国籍に応じた言語での受付案内を実行することが可能となる。
【００２１】
請求項６の考案は、請求項１ないし５において、前記受付スペースを撮像する撮像手段を備え、該撮像手段によって撮像された撮像情報を前記記憶手段に記憶するため、効果的にセキュリティを強化することができる。
【００２２】
請求項７の考案は、請求項１ないし６において、前記通信手段が内線電話であるため、それまでに使用していた機材を破棄せずに使用でき、経済的である。
【００２３】
請求項８の考案は、請求項１ないし７において、前記記憶手段が外部記憶媒体であるため、記憶手段に記憶された各種情報を容易に登録や更新、消去等することができる。
【００２４】
請求項９の考案は、請求項１ないし８において、訪問者がメッセージ入力可能な入力手段と、前記入力手段によって入力されたメッセージを前記社内情報から任意の社内部署または社員名を選択して送信可能なメッセージ送信手段とを備えるため、訪問先が不在であった場合でもメッセージを残すことが可能となる。
【００２５】
請求項１０の考案は、請求項１ないし９において、前記入力手段によって入力されたメッセージを出力する出力手段を備えるため、メッセージの控えを作成して、訪問者の手元に残すことができる。
【図面の簡単な説明】
【００２６】
【図１】本考案の一実施例に係る受付案内装置の斜視図である。
【図２】通常時における表示領域の表示状態を表した概略図である。
【図３】受付案内開始時における表示領域の表示状態を表した概略図である。
【図４】挨拶動画再生時における表示領域の表示状態を表した概略図である。
【図５】案内動画再生時における表示領域の表示状態を表した概略図である。
【図６】部署名で検索を選択した際の表示領域の表示状態を表した概略図である。
【図７】名前で検索を選択した際の表示領域の表示状態を表した概略図である。
【図８】訪問先選択後の表示領域の表示状態を表した概略図である。
【図９】訪問先呼出中の表示領域の表示状態を表した概略図である。
【図１０】受付案内処理に関するフローチャートである。
【考案を実施するための形態】
【００２７】
図１に示す本考案の一実施例に係る受付案内装置１０は、会社等の受付スペースに設置され、訪問者に対して無人で受付案内を行うものであって、表示手段２０と、操作手段３０と、記憶手段（図示せず）と、通信手段４０と、制御手段（図示せず）とを備える。図において、符号１は受付カウンター、１１は装置本体部を表す。
【００２８】
表示手段２０は、図１〜図９に示すように、等身大（実物大）の人物像２５が表示可能な表示領域２１を有する。表示領域２１は、人物の全身、あるいは、膝から上、上半身、胸部から上等の人物として認識可能な身体の一部分を等身大（実物大）で表示することが可能な適宜の大きさ（面積）を有し、縦長または横長の長方形状、正方形状、その他多角形状、円形状、楕円形状等の適宜の形状からなる。表示手段２０としては、液晶、有機ＥＬ、ＰＤＰ、ＣＲＴ等の公知のディスプレイを用いることができ、実施例では、４６インチの縦長の長方形状の表示領域２１を有する液晶ディスプレイである。なお、図において、符号２２は受付案内に関する各種情報（例えば、２２ａ〜２２ｆ）が表示される受付案内情報表示部である。
【００２９】
操作手段３０は、表示領域２１に設けられたタッチパネル式に構成された操作装置である。この操作手段３０は、抵抗膜方式や静電容量方式等の公知のタッチパネルディスプレイが用いられる。
【００３０】
記憶手段は、受付案内の動作を行う人物の動画情報と社内部署または社員名簿を含む社内情報とを記憶する。この記憶手段は、内蔵型ハードディスクドライブ（ＨＤＤ）等の内部記憶媒体、あるいは、外付けＨＤＤ、メモリーカード、ＵＳＢメモリー、ＣＤ、ＤＶＤ、ブルーレイ（登録商標）等の外部記憶媒体等の適宜の記録媒体が単独または組み合わせで用いられる。特に、メモリーカードやＵＳＢメモリー等の外部記憶媒体を利用すれば、記憶された各種情報を容易に登録や更新（上書き）、消去（削除）等することができる。
【００３１】
動画情報は、実写、アニメーション、コンピューターグラフィックス（ＣＧ）等の単独または組み合わせにより予め作成されるものであって、挨拶動画（例えば、図４参照）と、案内動画（例えば、図５〜図９参照）とを含み、表示手段２０の表示領域２１に再生可能に構成される。挨拶動画は、受付係の人物２５がお辞儀等の動作や適宜の挨拶等のセリフを述べる音声等によって構成され、案内動画は、受付係の人物２５が訪問者に対して操作手段３０の操作手順や操作内容に対応した受付案内の説明を適宜の動作及び音声によって行うように構成される。挨拶動画や案内動画の内容は、それぞれ単一の行動パターンに限らず、状況に応じた複数種類の行動パターンの動画を作成しておくことが好ましい。
【００３２】
また、動画情報は、日本語のみ等の単一言語だけでなく、必要に応じて、英語、中国語、韓国語、ドイツ語、フランス語等の複数種類の言語に対応した動作や音声等で作成してもよい。複数種類の言語に対応した動画情報を記憶手段に記憶させる場合、記憶された複数種類の言語からいずれか１つの言語を選択して再生可能とする言語選択手段が設けられる。これにより、訪問者の国籍に応じた言語での受付案内を実行することが可能となる。なお、図３〜図９において、符号２３は複数種類の言語から１つの言語を選択するための言語選択表示部である。
【００３３】
社内情報において、社内部署に関する情報は、部署の名称やそれに対応する内線（電話）番号等の連絡先等で構成される。また、社員名簿に関する情報は、社員名やその顔写真、所属する部署、携帯電話等の連絡先等で構成される。実施例において、社内情報は、図３〜図９に示すように、受付案内情報表示部２２に表示される。なお、この社内情報は、動画情報と同様に、日本語のみ等の単一言語だけでなく、必要に応じて、英語、中国語、韓国語、ドイツ語、フランス語等の複数種類の言語に対応した文字で表示可能に構成してもよい。
【００３４】
また、記憶手段には、動画情報や社内情報の他に、必要に応じて、図２に示すように、広告情報２６等の適宜の情報を記憶することができる。広告情報２６は、当該装置１０が設置される会社等に関連した静止画（写真）、動画、音声等の情報であって、例えば、会社等のロゴマークやポスター、イメージ写真、プロモーション動画（ＰＶ）等である。
【００３５】
通信手段４０は、社内部署または社員と通信可能な装置である。通信手段４０としては、例えば、有線または無線により接続された内線電話を含む電話機やマイク及びスピーカー等の外部通信機器、あるいは、内蔵マイク及び内蔵スピーカー等の内部通信機器が用いられる。実施例の通信手段は内線電話４１であり、これにより、それまでに使用していた機材を破棄せずに使用でき、経済的である。
【００３６】
制御手段は、ＣＰＵ、ＲＡＭ、ＲＯＭ等を有する公知のコンピュータからなり、操作手段による操作に応じて受付案内を実行する各種プログラムを有する。制御手段は、言語選択手段や、後述する入力手段、メッセージ送信手段等も兼ねる。この制御手段は、受付案内の実行に際し、表示手段２０の表示領域２１に記憶手段に記憶された動画情報の人物２５を等身大で表示し、訪問者が表示領域２１に触れたことを契機として動画情報を再生するとともに、表示領域２１の所定位置（実施例では受付案内情報表示部２２）に社内情報を操作手段３０により選択操作可能に表示し、訪問者が表示された社内情報から任意の訪問先を選択した際に、通信手段４０を介して該当訪問先を呼び出すように制御する。動画情報の再生に際しては、挨拶動画の再生後に、案内動画を再生するとともに社内情報を表示して受付案内を開始するように制御ことが好ましい。これにより、機械的な受付案内にならず、実際の対人による受付案内の雰囲気等を作り出して、訪問者に対して好印象を与えることができる。
【００３７】
この制御手段では、図２に示すように、受付案内が実行されていない（訪問者がいない）通常時に広告情報２６を表示手段２０の表示領域２１に表示するように制御してもよい。その際、広告情報２６としてロゴマーク、ポスター、イメージ写真等の静止画を使用する場合、単一の静止画を継続して表示したり、複数種類の静止画を適宜の間隔で順次表示する（スライドショー）ように制御することができる。さらに、通常時に広告情報２６を表示領域２１に表示する場合には、当該装置１０に受付スペースに接近した訪問者を感知する人感センサー（図示せず）を設け、人感センサーが訪問者を感知した際に、表示領域２１に動画情報の人物を等身大で表示するように制御することが好ましい。これにより、訪問者がいないまたは受付スペースから離れた場所にいる際には、広告情報２６を表示して宣伝等を行うことができ、訪問者が受付スペースに近づいたことに対応して即座に受付案内を開始することができる。なお、人感センサーとしては、赤外線式、超音波式、可視光線式等の公知のセンサーを用いることができる。
【００３８】
また、この受付案内装置１０では、必要に応じて、検索手段、撮像手段、入力手段、メッセージ送信手段、出力手段等が適宜設けられる。
【００３９】
検索手段（図示せず）は、社内情報から部署名または社員名を検索するものであって、その検索結果に基づいて通信手段４０を介して該当訪問先を呼び出すことが可能となる。検索手段において、例えば、部署名から検索を行う場合、図６に示すように、記憶手段に記憶された社内情報を呼び出して受付案内情報表示部２２に部署名を選択可能に一覧表示（２２ｃ）する。また、各部署が局、部、課、係等のように区分されている場合には、全ての区分を一覧表示してもよいし、上位の区分のみを一覧表示して選択した際に順次下位の区分を一覧表示するように構成してもよい。
【００４０】
一方、検索手段において、例えば、社員名から検索を行う場合、図７に示すように、受付案内情報表示部２２に仮名やアルファベット等の文字盤を表示（２２ｄ）し、任意の文字（名前）が入力されることにより、記憶手段に記憶された社内情報を呼び出して、該当する社員名を受付案内情報表示部２２に表示する。文字盤２２ｄによる文字入力では、仮名入力、アルファベット入力、ローマ字入力等適宜であり、必要に応じて漢字変換等も実行可能である。また、文字（名前）入力に際しては、社員名の一部（名字のみや名前の一字等）での検索を可能とし、その結果、複数名の社員が該当すれば、該当者全てを一覧表示するように構成してもよい。このように、検索手段を設けることにより、訪問先を容易に指定することができ、受付案内の操作を効率的に行うことができる。
【００４１】
撮像手段（図示せず）は、当該装置１０が設置される受付スペースを撮像して静止画（写真）や動画等の撮像情報を得るための装置であって、いわゆる監視カメラとして機能する。撮像手段としては、ビデオカメラ、ＣＣＤカメラ、デジタルカメラ等の適宜の撮像機器が外部接続または内蔵されて用いられる。撮像手段によって撮像された撮像情報は、記憶手段に記憶することができる。記憶手段に記憶された撮像情報は、当該装置１０の表示領域２１に表示したり、他の表示装置（パーソナルコンピュータ等）を別途用いて表示したりすることにより、閲覧することができる。
【００４２】
また、この撮像手段は、常時撮像し続けるように構成してもよいし、所定条件に基づいて所定時間または所定回数の撮像が行われるように構成してもよい。例えば、訪問者が表示領域２１に触れて受付案内を開始した際に動画を所定時間撮像するまたは静止画（写真）を所定回数撮像する、あるいは、前記人感センサーと連動させて、人感センサーが訪問者を感知した際に動画を所定時間撮像するまたは静止画（写真）を所定回数撮像する等である。これにより、効果的にセキュリティを強化することができる。
【００４３】
入力手段（図示せず）は、訪問者がメッセージ入力可能な装置である。入力手段としては、キーボード、タッチパネル式タブレット、ペンタブレット等の公知の入力装置を用いる他、当該装置１０の表示領域２１に入力操作可能に適宜の文字盤等を表示して操作手段３０を利用することができる。また、入力手段によって入力されたメッセージを社内情報から任意の社内部署または社員名を選択して送信可能なメッセージ送信手段を設けることが好ましい。メッセージ送信手段によってメッセージを送信する場合、例えば、前記検索手段と同様の操作を行って送信先を決定して送信するようにしてもよい。このように、訪問者が入力手段を用いて入力したメッセージを任意の部署または社員に対して送信可能とすることにより、訪問先が不在であった場合でもメッセージ（訪問記録）を残すことが可能となる。
【００４４】
出力手段（図示せず）は、入力手段によって入力されたメッセージを出力する装置である。出力手段としては、プリンター等の公知の出力装置が用いられる。訪問者が作成したメッセージを出力可能とすることにより、メッセージ（訪問記録）の控えを作成して、訪問者の手元に残すことができる。
【００４５】
次に、図２〜図９及び図１０のフローチャートを用いて、本考案の受付案内装置１０の使用例及び制御手段が実行する受付案内処理（Ｓ１０）について具体的に説明する。まず、受付案内が実行されていない（訪問者がいない）通常時では、図２に示すように、表示手段２０の表示領域２１に広告情報２６が表示される（Ｓ１１）。広告情報表示（Ｓ１１）では、例えば、スライドショー表示が実行される。
【００４６】
続いて、人感センサーが訪問者を感知すると、図３に示すように、表示領域２１に動画情報の人物像２５が等身大で表示される（Ｓ１２）。この表示領域２１には、人物像２５とともに、「いらっしゃいませ。画面にタッチしてください」等の文字２２ａを表示した受付案内情報表示部２２や、日本語、英語、中国語のいずれかの言語が選択可能な言語選択表示部２３が表示される。また、人物像２５を等身大で表示する際には、「受付案内を行う場合は、画面にタッチしてください」等の音声による案内を組合わせた動画情報を再生してもよい。
【００４７】
訪問者が表示領域２１に触れると、図４に示すように、動画情報の人物像２５がお辞儀等を行う挨拶動画が再生される（Ｓ１３）。挨拶動画の再生時には、「いらっしゃいませ」等の音声による案内を組合わせた動画情報を再生してもよい。
【００４８】
挨拶動画の再生が終了すると、続けて、図５に示すように、案内動画が再生されるとともに、受付案内情報表示部２２にメニューパネル２２ｂが表示され（Ｓ１４）、操作手段３０による案内方法の選択が可能となる（Ｓ１５）。ここで再生される案内動画では、人物像２５がメニューパネル２２ｂを支えるような動作をさせることにより、人物像２５が実際にメニューパネル２２ｂを持っているように見せることができる。実施例のメニューパネル２２ｂでは、「部署名で検索」「名前で検索」「総合受付」の３つの案内方法が選択可能とされる。また、この案内動画の再生時には、「部署名で検索、名前で検索、総合受付から案内方法を選択してください」等の音声による案内を組合わせた動画情報（案内動画）を再生してもよい。
【００４９】
次に、Ｓ１５の案内方法の選択において、訪問者が部署名で検索を選択した場合、図６にしめすように、受付案内情報表示部２２に部署一覧表２２ｃが表示される（Ｓ２１）。部署一覧表２２ｃでは、社内部署の全区分を一覧表示してもよいし、上位の区分のみを一覧表示し、上位区分を選択するごとに所属する下位区分を順次一覧表示するようにしてもよい。また、必要に応じて、各部署を選択した際に選択した部署に所属する社員名を一覧表示してもよい。なお、部署名で検索が選択された際には、「お尋ねの部署をお選び下さい」や「○○部を選択しました」等の音声による案内を組合わせた動画情報（案内動画）を再生してもよい。
【００５０】
Ｓ１５の案内方法の選択において、訪問者が社員名で検索を選択した場合、図７に示すように、受付案内情報表示部２２に仮名やアルファベット等の文字盤２２ｄが表示される（Ｓ２５）。文字盤２２ｄを用いた社員名検索では、フルネームや名字または名前の一字等の社員名の一部を入力して検索ボタンを押すことにより、検索された該当社員名が一覧表示される（Ｓ２６）。社員名が一覧表示される際は、社員のフルネームの他、所属部署名や必要に応じて顔写真等を合わせて表示してもよい。また、社員名で検索が選択された際には、「名前を入力してから、検索ボタンを押してください」や「検索結果を表示します」等の音声による案内を組合わせた動画情報（案内動画）を再生してもよい。
【００５１】
Ｓ２１の部署一覧表示及びＳ２６の検索社員名一覧表示において、訪問者が訪問先を選択すると、図８に示すように、受付案内情報表示部２２に訪問先の確認画面２２ｅが表示される（Ｓ３０）。確認画面２２ｅでは、訪問先の社員名や部署名等の適宜の情報及び呼出ボタンが表示される。また、確認画面２２ｅが表示された際には、「よろしければ、受話器を取ってから呼出ボタンを押してください」等の音声による案内を組合わせた動画情報（案内動画）を再生してもよい。
【００５２】
Ｓ３０の確認画面２２ｅにおいて、呼出ボタンが押された場合、図９に示すように、呼出画面２２ｆが表示されるとともに、選択された訪問先に対して内線電話（通信手段４０）での呼び出しが実行される（Ｓ３１）。呼出を行う際には、「ただいま呼び出し中です。しばらくお待ち下さい」等の音声による案内を組合わせた動画情報（案内動画）を再生してもよい。
【００５３】
Ｓ３１において呼び出しが実行され、訪問先にとの通信が終了されると、当該受付案内は終了されて、Ｓ１１の広告情報表示に戻って、人感センサーが次の訪問者を感知するまで広告情報２６が表示される。
【００５４】
なお、Ｓ１５において、総合受付が選択された場合、代表番号が呼び出されてＳ３０の確認画面表示が行われ、呼出ボタンが押されることによってＳ３１の呼び出しが実行される。
【００５５】
また、上記受付案内処理（Ｓ１０）では、表示領域２１に表示された言語選択表示部２３から、任意のタイミングで言語選択をすることが可能である。言語選択が実行された場合、現在再生中の動画情報と同一で構成された該当言語の動画情報が表示されるとともに、受付案内情報表示部２２の文字が該当言語で表示され、以後、他の言語が選択されるか、受付案内が終了されるまで選択言語での受付案内が実行される。受付案内が終了した場合は、自動的に言語が日本語に戻される。
【００５６】
さらに、受付案内処理（Ｓ１０）では、Ｓ１２〜Ｓ３１の動画情報再生中に所定時間（例えば１分間）操作手段３０による操作が行われなかった場合、自動的に受付案内を終了してＳ１１の広告情報表示に戻り、人感センサーが次の訪問者を感知するまで広告情報２６が表示される。
【００５７】
以上図示説明したように、本考案の受付案内装置１０では、表示手段２０の表示領域２１に記憶手段に記憶された動画情報の人物２５を等身大で表示し、訪問者が表示領域２１に触れたことを契機として動画情報を再生するとともに、表示領域２１の所定位置に社内情報を操作手段３０により選択操作可能に表示し、訪問者が表示された社内情報から任意の訪問先を選択した際に、通信手段４０を介して該当訪問先を呼び出すように構成されているため、無人でありながら対人による受付案内の雰囲気を作り出すことができ、受付スペースの無機質な雰囲気を解消して訪問者に対して好印象を与えて受付案内を行うことができる。特に、動画情報の再生に際して、挨拶動画の再生後に案内動画を再生して受付案内を実行すれば、より実際の対人による受付案内に近い雰囲気等を作り出すことができ、訪問者に対してより好印象を与えることができる。
【００５８】
なお、本考案の受付案内装置は、前述の実施例のみに限定されるものではなく、考案の趣旨を逸脱しない範囲において構成の一部を適宜に変更して実施することができる。例えば、受付案内が終了した際に、再度挨拶動画を再生して人物像にお辞儀等をさせるようにしてもよい。その際、「ありがとうございました」等の音声による案内を組合わせた動画情報（挨拶動画）を再生してもよい。
【符号の説明】
【００５９】
１０    受付案内装置
２０    表示手段
２１    表示領域
２５    人物像
３０    操作手段
４０    通信手段
【図１】
0003168253.tif 000003
【図２】
0003168253.tif 000004
【図３】
0003168253.tif 000005
【図４】
0003168253.tif 000006
【図５】
0003168253.tif 000007
【図６】
0003168253.tif 000008
【図７】
0003168253.tif 000009
【図８】
0003168253.tif 000010
【図９】
0003168253.tif 000011
【図１０】
0003168253.tif 000012